(57)【要約】【課題】被電解水を有隔膜電解槽の各電解室へ導入する各導入管路の一方または両方に配設した原水処理装置の不要時の負荷を解消して、その使用の寿命を向上させる。【解決手段】電解水生成装置を構成する両導入管路１２ａ，１２ｂの途中に配設されて被電解水の原水を処理する原水処理装置１５ａ，１５ｂと、導入管路１２ａ，１２ｂに配設されて原水処理装置１５ａ，１５ｂを迂回するバイパス管路１６ａ，１６ｂと、原水の導入を原水処理装置１５ａ，１５ｂ側とバイパス管路１６ａ，１６ｂ側に選択的に切替える切替弁（１７ａ，１７ｂ），（１７ｃ，１７ｄ）とを備え、電解運転時、原水処理が不要な方の原水処理装置１ａ，１５ｂの不要な負荷を防止する。【選択図】図２
2007130592.tif 000002
【特許請求の範囲】
【請求項１】
被電解水を有隔膜電解槽の各電解室へ互いに独立した導入管路を通して導入して前記各電解室にて電解し、前記各電解室にて生成される各電解生成水を互いに独立した導出管路を通して導出して使用に供するように構成されている電解水生成装置であり、当該電解水生成装置は、前記両導入管路の一方または両方の導入管路の途中に配設されて被電解水の原水を処理する原水処理装置と、前記導入管路に配設されて前記原水処理装置を迂回するバイパス管路と、原水の導入を前記原水処理装置側と前記バイパス管路側に選択的に切替える切替弁とを備えていることを特徴とする電解水生成装置。
【請求項２】
有隔膜電解槽の各電解室へ互いに独立した導入管路から被電解水を導入して前記各電解室にて電解し、前記各電解室にて生成される各電解生成水を互いに独立した導出管路を通して導出して使用に供するように構成されている電解水生成装置であり、当該電解水生成装置は、前記両導入管路の一方または両方の導入管路の途中に配設されて被電解水の原水を処理する原水処理装置を備え、同原水処理装置は、導入される原水の流通を許容するが処理機能を規制する処理機能規制手段を備えていることを特徴とする電解水生成装置。
【請求項３】
請求項１または２に記載の電解水生成装置であり、前記原水処理装置は、原水中に溶存している炭酸成分を除去する炭酸除去装置、原水中に溶存している塩素成分を除去する塩素除去装置、または、原水の電解助剤を付与する電解助剤付与装置であることを特徴とする電解水生成装置。
【請求項４】
請求項１または２に記載の電解水生成装置であり、当該電解水生成装置は、前記各導入管路に同一種類の原水処理装置を備え、または、互いに異なる種類の原水処理装置を備えていることを特徴とする電解水生成装置。
【請求項５】
請求項１または２に記載の電解水生成装置であり、前記有隔膜電解槽の各電解室に被電解水を導入する各導入管路は、前記有隔膜電解槽の各電解室に接続されている各導入管路と一体のものであることを特徴とする電解水生成装置。
【請求項６】
請求項１または２に記載の電解水生成装置であり、前記有隔膜電解槽の各電解室に被電解水を導入する各導入管路は、前記有隔膜電解槽の各電解室に接続されている各導入管路とは別体に形成されていて、互いに対応する導入管路同志が脱着可能に接続されるように構成されていることを特徴とする電解水生成装置。
【請求項７】
有隔膜電解槽の各電解室へ互いに独立した導入管路から被電解水を導入して前記各電解室にて電解し、前記各電解室にて生成される各電解生成水を互いに独立した導出管路を通して導出して使用に供するように構成されている電解水生成装置であり、当該電解水生成装置は、前記両導入管路の途中に被電解水の原水中に溶存している炭酸成分を除去する炭酸除去装置を備え、前記炭酸除去装置は、前記各導入管路の途中に配設される一対の気液分離器と、同各気液分離器の気体側室にそれぞれ連通管路を介して連通し同各気体側室内に負圧を付与する負圧付与手段と、前記各連通管路の途中に介装されて選択的に開閉動作する一対の開閉弁を備えることを特徴とする電解水生成装置。
【請求項８】
請求項７に記載の電解水生成装置であり、前記有隔膜電解槽の各電解室に被電解水を導入する各導入管路は、前記有隔膜電解槽の各電解室に接続されている各導入管路と一体のものであることを特徴とする電解水生成装置。
【請求項９】
請求項７に記載の電解水生成装置であり、前記有隔膜電解槽の各電解室に被電解水を導入する各導入管路は、前記有隔膜電解槽の各電解室に接続されている各導入管路とは別体に形成されていて、互いに対応する導入管路が脱着可能に構成されていることを特徴とする電解水生成装置。
【発明の詳細な説明】
【技術分野】
【０００１】
本発明は、有隔膜電解槽を備える電解水生成装置に関する。
【背景技術】
【０００２】
電解水生成装置の一形式として、有隔膜電解槽の各電解室へ互いに独立した導入管路を通して被電解水を導入して前記各電解室にて電解し、前記各電解室にて生成される各電解生成水を互いに独立した導出管路を通して導出して使用に供するように構成されている電解水生成装置がある。当該形式の電解水生成装置においては、前記各導入管路の一方または両方の途中に、被電解水の原水を処理する原水処理装置が配設されているものがある。原水処理装置を装備する電解水生成装置の一例として、前記両導入管路の一方に陽イオン交換樹脂充填槽を配設し、かつ、前記両導入管路の他方に陰イオン交換樹脂充填槽を配設してなる電解水生成装置が提案されている（特許文献１を参照）。また、原水処理装置を装備する電解水生成装置の他の一例として、前記両導入管路の一方に塩素成分を除去するための塩素除去装置（塩素フィルタ）を配設してなる電解水生成装置が提案されている（特許文献２を参照）。
【０００３】
これらの電解水生成装置のうち、前者の電解水生成装置にあっては、一方の導入管路に配設された陽イオン交換樹脂充填槽の陽イオン交換能を利用して、陽極側電解室での電解に悪影響を及ぼす炭酸イオンや炭酸水素イオン等を除去して、陽極側電解室での電解効率の向上を意図して、また、他方の導入管路に配設されている陰イオン交換樹脂槽充填槽の陰イオン交換能を利用して、陰極側電解室での電解に悪影響を及ぼすアルミニウムイオンや鉄イオン等を除去して、陰極側電解室での電解効率の向上を意図しているものである。
【０００４】
また、後者の電解水生成装置にあっては、一方の導入管路に配設されている塩素除去装置を利用して、原水中に含まれている塩素成分の量を低減または皆無にした水を被電解水として使用するものである。後者の電解水生成装置では、塩素成分を除去処理されている原水と、塩素成分を除去処理されていない原水を、被電解水として選択的に使用するものであり、塩素成分を除去処理されている原水を被電解水とする場合には、塩素成分を除去処理されていない原水を被電解水とする場合に比較して、陽極側電解室にて生成される電解生成酸性水、および、陰極側電解室にて生成される電解生成アルカリ性水共に、次亜塩素酸の含有量が皆無または大幅に低減する。この結果、陽極側電解室にて生成される電解生成酸性水は弱酸性で、例えば、肌の引きしめ用の美容水として利用できるとしており、また、陽極側電解室にて生成される電解生成アルカリ性水は、弱アルカリ性で、例えば、飲用に適するアルカリイオン水として利用できるとしている。
【特許文献１】特開平５−６８９７５号公報
【特許文献２】特開平１０−３２８６６４号公報
【発明の開示】
【発明が解決しようとする課題】
【０００５】
ところで、当該形式の電解水生成装置においては、有隔膜電解槽の陽極側電解室にて生成される電解生成酸性水および陰極側電解室に生成される電解生成アルカリ性水を同時に利用することもあるが、これらの電解生成水を使用目的に応じて選択的に利用する場合が多い。この場合には、原水処理装置では、使用目的に応じた電解生成水の生成に関与する被電解水の原水を処理すればよく、使用目的としない電解生成水の生成に関与する被電解水の原水を処理する必要は全くない。むしろ、後者の原水をも処理する場合には、原水処理装置に不要な負荷を強いることになって、処理能力を早期に低減させることになる。この結果、原水処理装置は、不要な負荷に起因して早期に交換しなければならないという不具合が生じる。本発明は、かかる問題に対処することにある。
【課題を解決するための手段】
【０００６】
本発明は、有隔膜電解槽を有する電解水生成装置に関する。本発明に係る電解水生成装置は、被電解水を有隔膜電解槽の各電解室へ互いに独立した導入管路を通して導入して前記各電解室にて電解し、前記各電解室にて生成される各電解生成水を互いに独立した導出管路を通して導出して使用に供するように構成されている電解水生成装置である。
【０００７】
本発明に係る第１の電解水生成装置においては、前記両導入管路の一方または両方の導入管路の途中に配設されて被電解水の原水を処理する原水処理装置と、前記導入管路の途中に配設されて前記原水処理装置を迂回するバイパス管路と、原水の導入を前記原水処理装置側と前記バイパス管路側に選択的に切替える切替弁とを備えていることを特徴とするものである。
【０００８】
また、本発明に係る第２の電解水生成装置においては、前記両導入管路の一方または両方の導入管路の途中に被電解水の原水を処理する原水処理装置を備え、同原水処理装置は、導入される原水の流通を許容するが処理機能を規制する処理機能規制手段を備えていることを特徴とするものである。
【０００９】
本発明に係るこれらの各電解水生成装置においては、採用する原水処理装置として、原水中に溶存している炭酸成分を除去する炭酸除去装置、原水中に溶存している塩素成分を除去する塩素除去装置、または、原水に電解助剤を付与する電解助剤付与装置を採用することをできる。また、これらの各電解水生成装置においては、前記各導入管路に同一種類の原水処理装置を配設する構成とすることができ、かつ、互いに異なる種類の原水処理装置を配設する構成とすることができる。
【００１０】
本発明に係るこれらの各電解水生成装置においては、前記有隔膜電解槽の各電解室に被電解水を導入する各導入管路を、前記有隔膜電解槽の各電解室に接続されている各導入管路と一体の構成とすることができ、また、前記有隔膜電解槽の各電解室に被電解水を導入する各導入管路を、前記有隔膜電解槽の各電解室に接続されている各導入管路とは別体に形成して、互いに対応する導入管路を脱着可能に接続する構成とすることができる。
【００１１】
また、本発明に係る第３の電解水生成装置においては、前記両導入管路の途中に被電解水の原水中に溶存している炭酸成分を除去する炭酸除去装置を備え、前記炭酸除去装置は、前記両導入管路の途中に配設される一対の気液分離器と、同各気液分離器の気体側室にそれぞれ連通管路を介して連通し同各気体側室内に負圧を付与する吸気ポンプ等の負圧付与手段と、前記各連通管路の途中に介装されて選択的に開閉動作する一対の開閉弁を備えることを特徴とするものである。
【００１２】
本発明に係る第３の電解水生成装置においては、前記有隔膜電解槽の各電解室に被電解水を導入する各導入管路を、前記有隔膜電解槽の各電解室に接続されている各導入管路と一体の構成とすることができ、また、前記有隔膜電解槽の各電解室に被電解水を導入する各導入管路を、前記有隔膜電解槽の各電解室に接続されている各導入管路とは別体に形成して、互いに対応する導入管路を脱着可能に接続する構成とすることができる。
【発明の効果】
【００１３】
本発明に係る第１の電解水生成装置においては、当該電解水生成装置が有する切替弁の切替動作により、原水の導入を前記原水処理装置側と前記バイパス管路側に選択的に切替えることができる。このため、使用目的に応じた電解生成水の生成に関与する被電解水の原水のみを原水処理装置に導入してこれを処理して、原水を処理した水を使用する電解生成水の生成側の電解室に被電解水として導入することができる。一方、使用目的としない電解生成水の生成側の電解室には、バイパス管路を通して、未処理の原水を被電解水として導入することができる。かかる電解運転を採ることにより、原水処理装置の不要な負荷を皆無にすることができて、原水処理装置の使用の寿命を大幅に向上させることができる。
【００１４】
本発明に係る第２の電解水生成装置においては、当該電解水生成装置の原水処理装置は、処理機能規制手段の非動作時には、使用目的に応じた電解生成水の生成に関与する被電解水の原水を処理して流動させることができ、かつ、処理機能規制手段の動作時には、原水を処理することなく未処理の状態で流通させることができる。このため、当該電解水生成装置によれば、原水を処理してなる水と未処理の原水とを、被電解水として同一の電解室に選択的に導入することができる。かかる電解運転を採ることにより、原水処理装置の不要な負荷を皆無にすることができて、原水処理装置の使用の寿命を大幅に向上させることができる。
【００１５】
本発明に係るこれらの各電解水生成装置においては、前記有隔膜電解槽の各電解室に被電解水を導入する各導入管路を、有隔膜電解槽の各電解室に接続されている各導入管路と一体の構成とすることができることは勿論であるが、有隔膜電解槽の各電解室に被電解水を導入する各導入管路を、有隔膜電解槽の各電解室に接続されている各導入管路とは別体に形成して、互いに対応する導入管路を脱着可能に接続する構成とすることができる。後者の構成を採ることにより、有隔膜電解槽の上流側の原水処理装置が配設されている側の導入系路を、被電解水の導入機構として一ユニットに構成することができる。これにより、当該導入機構を電解水生成装置のオプションの機構として取扱うことができ、当該導入機構を必要とするユーザに対してのみ提供し、不要なユーザには不要な機構の提供を防止することができる利点がある。
【００１６】
本発明に係る第３の電解水生成装置においては、本発明に係る第２の電解水生成装置をより具体的に構成しているもので、原水処理装置として特定の構成の炭酸除去装置を採用した場合の、炭酸除去機構をコンパクトに構成することを意図しているものである。また、第３の電解水生成装置においても、本発明に係る第１，第２の電解水生成装置と同様に、有隔膜電解槽の上流側の原水処理装置が配設されている側の導入系路を、被電解水の導入機構として一ユニットに構成することができることは勿論である。
【発明を実施するための最良の形態】
【００１７】
本発明は、有隔膜電解槽を有する電解水生成装置である。本発明に係る電解水生成装置は、被電解水を有隔膜電解槽の各電解室へ互いに独立した導入管路を通して導入して前記各電解室にて電解し、前記各電解室にて生成される各電解生成水を互いに独立した導出管路を通して導出して使用に供するように構成されている電解水生成装置であって、両導入管路の一方または両方の導入管路の途中に、被電解水の原水を処理するための原水処理装置を備えているものである。図１〜図４には、本発明に係る電解水生成装置の各実施形態を模式的に示している。
【００１８】
図１に示す第１の実施形態に係る第１の電解水生成装置１０ａは、有隔膜電解槽１１と、有隔膜電解槽１１の各電解室Ｒ1，Ｒ2の上流側に接続されて被電解水を各電解室Ｒ1，Ｒ2に導入する一対の導入管路１２ａ，１２ｂと、有隔膜電解槽１１の各電解室Ｒ1，Ｒ2の下流側に接続されて各電解室Ｒ1，Ｒ2にて生成された電解生成水を導出する一対の導出管路１３ａ，１３ｂを備えている。第１の電解水生成装置１０ａにあっては、各導出管路１３ａ，１３ｂには、各電解生成水を注出するための注出管路および排水管路（図示せず）が接続されていて、一方の電解生成水を利用する場合には、一方の注出管路の先端部に設けた開閉弁を開いて一方の電解生成水を注出し、また、他方の電解生成水を利用する場合には、他方の注出管路の先端部に設けた開閉弁を開いて他方の電解生成水を注出するようになっている。なお、この場合、利用しない方の電解生成水については、各排水管路からその都度排水されるようになっている。
【００１９】
しかして、当該電解水生成装置１０ａにおいては、各導入管路１２ａ，１２ｂは、水源に接続する主導入管路１４から分岐していて、有隔膜電解槽１１の陰極側の電解室Ｒ1に被電解水を導入する導入管路１２ａの途中に、原水処理装置である炭酸除去装置１５ａが配設されている。また、導入管路１２ａの途中には、炭酸除去装置１５ａを迂回するバイパス管路１６ａが配設されていて、バイパス管路１６ａには、開閉弁１７ａが介装され、かつ、導入管路１２ａにおける炭酸除去装置１５ａの上流側には、開閉弁１７ｂが介装されている。開閉弁１７ｂは、導入管路１２ａにおける炭酸除去装置１５ａの上流側にて、バイパス管路１６ａの分岐部より下流側に位置している。
【００２０】
炭酸除去装置１５ａは、原水中の炭酸成分を除去すべく機能するもので、炭酸除去装置１５ａにて炭酸成分を除去された水は、被電解水として、有隔膜電解槽１１の陰極側電解室Ｒ1に導入される。一方、両開閉弁１７ａ，１７ｂは、互いに共働して切替弁として機能し、主導入管路１４を通して供給される原水は、開閉弁１７ａを閉じて開閉弁１７ｂを開けば炭酸除去装置１５ａに導入され、開閉弁１７ａを開き開閉弁１７ｂを閉ればバイパス管路１６ａに導入される。
【００２１】
当該電解水生成装置１０ａにおいては、電解運転時には、被電解水は、陰極側電解室Ｒ1に対しては導入管路１２ａを通して導入され、かつ、陽極側電解室Ｒ2に対しては導入管路１２ｂを通して導入される。各電解室Ｒ1，Ｒ2に導入された被電解水は、各電解室Ｒ1，Ｒ2にて電解され、陰極側電解室Ｒ1では電解生成アルカリ性水が生成され、かつ、陽極側電解室Ｒ2では電解生成酸性水が生成される。電解生成水の利用者は、使用目的に応じて電解生成水の種類を選択してこれを注出し、使用しない方の電解生成水についてはこれを排水する。
【００２２】
当該電解水生成装置１０ａにおいては、電解運転時、主導入管路１４から浄水器１８を通して供給される原水を、開閉弁１７ａを閉じかつ開閉弁１７ｂを開いて炭酸除去装置１５ａに導入する第１の導入態様と、開閉弁１７ａを開き開閉弁１７ｂを閉じてバイパス管路１６ａに導入する第２の導入態様を選択することができる。このため、利用者が電解生成アルカリ性水を選択して使用する場合には、第１の導入態様を採ることにより、炭酸成分を除去された水を被電解水として陰極側電解室Ｒ1に導入することができる。また、利用者が電解生成酸性水を選択して使用する場合には、第２の導入態様を採ることにより、陰極側電解室Ｒ1に対して炭酸除去装置１５ａを迂回した原水を被電解水として導入することができる。
【００２３】
従って、当該電解水生成装置１０ａにあっては、電解運転時、利用者が使用を選択した電解生成水に応じて、上記した第１の導入態様と第２の導入態様を選択すれば、炭酸除去装置１５ａの不要時の負荷を皆無にすることができ、炭酸除去装置１５ａの使用寿命を大幅に向上させることができる。なお、各電解生成水の使用が両電解生成水半々のような場合には、炭酸除去装置１５ａの負荷を半減することができる。
【００２４】
図２に示す第２の実施形態に係る第２の電解水生成装置１０ｂは、第１の電解水生成装置１０ａを基本構成とし、導入管路１２ｂの途中に、陰イオン交換樹脂を充填した陰イオン交換器１５ｂとバイパス管路１６ｂを配設しているものである。また、バイパス管路１６ｂには、開閉弁１７ｃが介装され、かつ、導入管路１２ｂにおける陰イオン交換器１５ｂの上流側には、開閉弁１７ｄが介装されている。開閉弁１７ｄは、導入管路１２ｂにおける陰イオン交換器１５ｂの上流側にて、バイパス管路１６ｂの分岐部より下流側に位置している。
【００２５】
陰イオン交換器１５ｂは、原水中の不要な陰イオンを除去すべく機能するもので、陰イオン交換器１５ｂにて不要な陰イオンを除去された水は、被電解水として、有隔膜電解槽１１の陽極側電解室Ｒ2に導入される。一方、両開閉弁１７ｃ，１７ｄは、互いに共働して切替弁として機能し、主導入管路１４を通して供給される原水は、開閉弁１７ｃを閉じて開閉弁１７ｄを開けば陰イオン交換機１５ｂに導入され、開閉弁１７ｃを開き開閉弁１７ｄを閉ればバイパス管路１６ｂに導入される。当該電解水生成装置１０ｂにおいては、炭酸除去装置１５ａとは逆のタイミングで機能させ、かつ、機能を停止させることができる。
【００２６】
当該電解水生成装置１０ｂにおいては、電解運転時、主導入管路１４を通して供給される原水を、開閉弁１７ｃを閉じかつ開閉弁１７ｄを開いて陰イオン交換器１５ｂに導入する第１の導入態様と、開閉弁１７ｃを開き開閉弁１７ｄを閉じてバイパス管路１６ｂに導入する第２の導入態様を選択することができる。このため、利用者が電解生成酸性水を選択して使用する場合には、第１の導入態様を採ることにより、不要な陰イオンを除去された水を被電解水として陽極側電解室Ｒ2に導入することができる。また、利用者が電解生成アルカリ性水を選択して使用する場合には、第２の導入態様を採ることにより、陽極側電解室Ｒ2に対して陰イオン交換器１５ｂを迂回した原水を被電解水として導入することができる。
【００２７】
従って、当該電解水生成装置１０ｂにあっては、電解運転時、利用者が使用を選択した電解生成水に応じて、炭酸除去装置１５ａと陰イオン交換器１５ｂにおける第１の導入態様および第２の導入態様を適宜選択すれば、利用者が電解生成アルカリ性水を選択して使用する場合に、炭酸除去装置１５ａを機能させかつ陰イオン交換器１５ｂを機能させない電解運転態様を採ることができるとともに、利用者が電解生成酸性水を選択して使用する場合に、陰イオン交換器１５ｂを機能させかつ炭酸除去装置１５ａを機能させない電解運転態様を採ることができる。これらの電解運転態様を採れば、炭酸除去装置１５ａおよび陰イオン交換器１５ｂの不要時の負荷を皆無にすることができ、炭酸除去装置１５ａおよび陰イオン交換器１５ｂの使用寿命を大幅に向上させることができる。
【００２８】
なお、当該電解水生成装置１０ａ，１０ｂにおいては、原水処理装置として炭酸除去装置１５ａ、または、炭酸除去装置１５ａおよび陰イオン交換器１５ｂを採用しているが、これらに代えて、両導入管路１２ａ，１２ｂの一方または両方に、例えば乳酸カルシウム、塩化ナトリウム、塩化カリウム等、要求される電解助剤を原水に添加するための電解助剤付与装置を採用することができる。
【００２９】
図３に示す第３の実施形態に係る第３の電解水生成装置１０ｃは、第２の電解水生成装置１０ｂの変形例であって、第２の電解水生成装置１０ｂを構成する２本のバイパス管路１６ａ，１６ｂを１本のバイパス管路１６ｃに置換えた構成のものである。当該バイパス管路１６ｃは、両導入管路１２ａ，１２ｂとは互いに独立しているもので、先端側は主導入管路１４に接続され、かつ、後端側は、両導入管路１２ａ，１２ｂを接続している接続管路１６ｄの中間部に、三方切替弁１７ｅを介して接続されている。また、両導入管路１２ａ，１２ｂおよびバイパス管路１６ｃの分岐部の近傍には、３個の開閉弁１７ｆ，１７ｇ，１７ｈがそれぞれ介装されている。
【００３０】
従って、当該電解水生成装置１０ｃによれば、三方切替弁１７ｅを適宜に切替動作させ、かつ、各開閉弁１７ｆ〜１７ｈを適宜に開閉動作させることにより、第２の電解水生成装置１０ｂと同様、炭酸除去装置１５ａに関する第１の導入態様および第２の導入態様と、陰イオン交換器１５ｂに関する第１の導入態様および第２の導入態様を、選択的に採用することができて、第２の電解水生成装置１０ｂと同様の電解運転態様を採ることができる。これにより、第３の電解水生成装置１０ｃにおいても、炭酸除去装置１５ａおよび陰イオン交換器１５ｂの不要時の負荷を皆無にすることができ、炭酸除去装置１５ａおよび陰イオン交換器１５ｂの使用寿命を大幅に向上させることができる。
【００３１】
図４に示す第４の実施形態に係る第４の電解水生成装置２０は、電解運転時に陽極側電解室にて発生するスケールを除去すべく、有隔膜電解槽２０ａの各電極の極性を定期的に正負逆極性に反転させて、陽極側電解室を陰極側電解室に反転させるとともに、陰極側電解室を陽極側電解室に反転させる形式のもので、有隔膜電解槽２０ａの下流側の導出管路部には、流路切替弁２０ｂを備えている。本発明に係る第４の電解水生成装置２０においては、当該形式の公知の電解水生成装置における各導入管路に、炭酸除去装置を有する炭酸除去機構部２０ｃを配設して構成されている。
【００３２】
当該電解水生成装置２０においては、炭酸除去機構部２０ｃを除く、電解水生成機構部は公知であって、電解運転時には、有隔膜電解槽２０ａの各電解室Ｒ1，Ｒ2に、各導入管路２１ａ，２１ｂから被電解水が導入され、各電解室Ｒ1，Ｒ2にて生成された各電解生成水は、流路切替弁２０ｂを通って、各導出管路２１ｃ，２１ｄから導出される。当該電解運転時には、有隔膜電解槽２０ａの各電極の極性を定期的に正負逆極性に反転させて、陽極側電解室を陰極側電解室に反転させるとともに、陰極側電解室を陽極側電解室に反転させる。この時点では、電解生成酸性水を生成していた電解室側が電解生成アルカリ性水を生成し、かつ、電解生成アルカリ性水を生成していた電解室側が電解生成酸性水を生成することになるが、この場合、流路切替弁２０ｂが電極の極性反転に同期して切替えられて、各電解生成水はその専用の導出管路２１ｃ，２１ｄから導出される。なお、図中、符号２１ｅは流水センサを示している。
【００３３】
当該電解水生成装置２０を構成する炭酸除去機構部２０ｃに採用されている炭酸除去装置は、一対の気液分離器と、各気液分離器内の気体側室に負圧を付与する負圧付与手段の一種である真空ポンプを備えているものである。気液分離器のケースの内部には、原水の流通路を形成する気液分離膜が収納されていて、気液分離膜の外側の気体側室に、真空ポンプに接続した連通管路が接続されている。かかる構成の炭酸除去装置はそれ自体公知であって、導入された原水は気液分離膜が形成する流通路を流通し、真空ポンプが駆動している場合には、流通路を流動している原水に、気液分離膜を透して負圧が付与され、原水中に含まれる炭酸成分はガス化して原水から分離されて、真空ポンプを通して排気される。
【００３４】
当該炭酸除去機構部２０ｃは、当該炭酸除去装置を構成する一対の気液分離器と、１台の真空ポンプを主体としている。気液分離器２２ａ，２２ｂは、各導入管路２１ａ．２１ｂの途中にそれぞれ配設されていて、各連通管路２３ａ，２３ｂを介して真空ポンプ２４に接続されている。各連通管路２３ａ，２３ｂには、常閉型の電磁開閉弁２５ａ，２５ｂが介装されている。また、各気液分離器２２ａ，２２ｂには、吸気通路２６ａに連通する各連通管路２６ｂ，２６ｃが接続されており、各連通管路２６ｂ，２６ｃには、逆止弁２６ｄ，２６ｅが介装されている。当該炭酸除去機構部２０ｃにおいては、真空ポンプ２４が駆動していて、負圧が気液分離器２２ａ，２２ｂに付与されている場合には、外気がエアフィルター２７を透して気液分離器２２ａ，２２ｂに導入される。
【００３５】
かかる構成の炭酸除去機構部２０ｃを備える当該電解水生成装置２０においては、電解運転時には、陰極側電解室に被電解水を導入する側の導入管路に配設されている気液分離器を機能させて原水を炭酸除去処理し、炭酸成分を除去された水を被電解水として当該電解室に導入するものである。当該電解水生成装置２０においては、電解運転時には、制御装置２０ｄが陰極側電解室を確認して、当該確認に基づいて、陰極側電解室の被電解水を導入する側の導入管路に配設されている気液分離器を機能させる。
【００３６】
例えば、陰極側電解室が電解室Ｒ1である場合には、制御装置２０ｄは、電磁開閉弁２５ａを開き同時に真空ポンプ２３を駆動して、導入管路２１ａに配設されている気液分離器２２ａを機能させ、気液分離器２２ａに導入される原水を炭酸除去処理し、炭酸成分を除去された水を被電解水として陰極側電解室Ｒ1に導入する。この場合、導入管路２１ｂに配設されている気液分離器２２ｂは機能せず、陽極側電解室である電解室Ｒ2には、炭酸除去処理されていない原水が被電解水として導入される。
【００３７】
また、有隔膜電解槽１０ａに配設されている電極の極性が切替えられて、電解室Ｒ1が陽極側電解室に反転し、かつ、電解室Ｒ2が陰極側電解室に反転した場合には、制御装置２０ｄは、電解室Ｒ2が陰極側電解室であることを確認して、当該確認に基づいて、電磁開閉弁２５ａを閉じ同時に電磁開閉弁２５ｂを開く。これにより、気液分離器２２ａは機能を停止するともに、気液分離器２２ｂが同期的に機能し、陰極側電解室Ｒ2には、気液分離器２２ｂにて炭酸除去処理された水が被電解水として導入され、かつ、陽極側電解室Ｒ1には、炭酸除去処理されていない原水が被電解水として導入される。
【００３８】
従って、当該電解水生成装置２０によれば、制御装置２０ｄによる気液分離器２２ａ，２２ｂに対する制御により、炭酸除去処理の負荷を低減することができて、気液分離器２２ａ，２２ｂの使用寿命を向上させることができる。また、当該電解水生成装置２０においては、電解運転時、各気液分離器２２ａ，２２ｂを、電解生成アルカリ性水を使用する場合にのみ選択して機能させることができ、これにより、炭酸除去処理の不要時における気液分離器の負荷を皆無にすることができ、気液分離器２２ａ，２２ｂの使用寿命を大幅に向上させることができる。
【００３９】
当該電解水生成装置２０においては、炭酸除去機構部２０ｃを、電解水生成機構部とは分離して独立したものとして構成することができ、当該炭酸除去機構部２０ｃを、電解水生成装置のオプションの機構部とすることができる。当該電解水生成装置２０においては、各導入管路２１ａ，２１ｂを、図５に示すように、炭酸除去機構部２０ｃ側の導入管路２１ａ1，２１ｂ1と、有隔膜電解槽２０ａ側の導入管路２１ａ2，２１ｂ2とに分割し、これらの導入管路２１ａ1，２１ａ2同志、および、これらの導入管路２１ｂ1，２１ｂ2同志を着脱可能に接続させるように構成する。かかる構成においては、導入管路２１ａ1，２１ａ2同志、および、導入管路２１ｂ1，２１ｂ2同志の接続を直接接続するようにすることができるとともに、図５に示すように、適宜の接続管路２１ａ3，２１ｂ3を介して接続するようにすることができる。後者の接続構造を採る場合には、電解水生成機構部と炭酸除去機構部２０ｃとの設置の自由度を高めることができて、当該電解水生成装置の設置が容易であるとう利点がある。
【図面の簡単な説明】
【００４０】
【図１】本発明に係る第１の電解水生成装置を模式的に示す概略構成図である。
【図２】本発明に係る第２の電解水生成装置を模式的に示す概略構成図である。
【図３】本発明に係る第３の電解水生成装置を模式的に示す概略構成図である。
【図４】本発明に係る第４の電解水生成装置を模式的に示す概略構成図である。
【図５】本発明に係る第４の電解水生成装置の変形例を模式的に示す概略構成図である。
【符号の説明】
【００４１】
１０ａ…第１の電解水生成装置、１０ｂ…第２の電解水生成装置、１０ｃ…第３の電解水生成装置、１１…有隔膜電解槽、１２ａ，１２ｂ…導入管路、１３ａ，１３ｂ…導出管路、１４…主導入管路、１５ａ…炭酸除去装置、１５ｂ…陰イオン交換器、１６ａ，１６ｂ，１６ｃ…バイパス管路、１６ｄ…接続管路、１７ａ，１７ｂ，１７ｃ，１７ｄ…開閉弁、１７ｅ…三方切替弁、１７ｆ，１７ｇ，１７ｈ…開閉弁、１８…浄水器、Ｒ1，Ｒ2…電解室、２０…第４の電解水生成装置、２０ａ…有隔膜電解槽、２０ｂ…流路切替弁、２０ｃ…炭酸除去機構部、Ｒ1，Ｒ2…電解室、２１ａ（２１ａ1，２１ａ２），２１ｂ（２１ｂ1，２１ｂ２）…導入管路、２１ａ3，２１ｂ3…接続管路、２１ｃ，２１ｄ…導出管路、２１ｅ…流水センサ、２２ａ，２２ｂ…気液分離器、２３ａ，２３ｂ…連通管路、２４…真空ポンプ、２５ａ，２５ｂ…電磁開閉弁、２６ａ…吸気管路、２６ｂ、２６ｃ…連通管路、２６ｄ，２６ｅ…逆止弁、２７…エアフィルター。
【図１】
2007130592.tif 000003
【図２】
2007130592.tif 000004
【図３】
2007130592.tif 000005
【図４】
2007130592.tif 000006
【図５】
2007130592.tif 000007